(57)【要約】【課題】交換ユニットの位置決めを容易に行うことができるようにした遊技機等を提供する。【解決手段】位置決め手段（９０）は、位置決めピン（１００）と、位置決めピン（１００）を差し込み可能な長孔状の位置決め孔（１１０）と、位置決めピン（１００）を特定位置まで位置決め孔（１１０）内部で所定方向に移動させるためのピン移動手段（９５）とを備え、位置決め孔（１１０）は、特定位置の位置決めピン（１００）が入り込むことにより交換ユニット（２）の位置決めが完了する位置決め完了端部（１１１）を備え、位置決めピン（１００）が、ピン移動手段（９５）を介して、位置決め孔（１１０）の内部を位置決め完了端部（１１１）へ向かって移動することにより、交換ユニット（２）を所定位置へ移動可能なことを特徴とする。【選択図】    図１
2004275470.tif 000002
【特許請求の範囲】
【請求項１】
正面側に開口する正面開口部を有する本体キャビネットと、
前記本体キャビネットの正面開口部を開閉自在に塞ぐ前扉と、
複数の図柄が表示された回転リール及びこの回転リールを回転表示させるための駆動手段を有するリールユニットとを備えた遊技機であって、
少なくとも前記リールユニットは、このリールユニットを装着するための枠を介して、前記交換ユニットに組み込まれ、
前記交換ユニットは、前記本体キャビネットに対して交換可能に形成され、
前記遊技機は、
前記交換ユニットを前記本体キャビネット内部の前後方向に案内する案内手段と、
前記本体キャビネットと前記交換ユニットとの間に位置して前記交換ユニットの固定位置の位置決めが可能な位置決め手段とを備え、
前記位置決め手段は、
前記本体キャビネットと前記交換ユニットとのうち、いずれか一方に支持される位置決めピンと、
前記本体キャビネットと前記交換ユニットとのうち、前記位置決めピンを支持していない方に形成されて前記位置決めピンを差し込み可能な長孔状の位置決め孔と、
前記位置決めピンを特定位置まで前記位置決め孔内部で所定方向に移動させるためのピン移動手段とを備え、
前記位置決め孔は、その長尺方向の端部であって、前記特定位置の前記位置決めピンが入り込むことにより前記交換ユニットの位置決めが完了する位置決め完了端部を備え、
前記位置決めピンが、前記ピン移動手段を介して、前記位置決め孔の内部を前記位置決め完了端部へ向かって移動することにより、前記位置決めピンの外面が、前記位置決め孔の内面を押して、前記交換ユニットを所定位置へ移動可能なことを特徴とする遊技機。
【請求項２】
前記位置決めピンは、その基端側から先端側に向かって先細状に形成され、
前記位置決めピンの基端側が、前記位置決め完了端部に入り込むことにより、前記交換ユニットの位置決めが完了することを特徴とする請求項１記載の遊技機。
【請求項３】
前記位置決め孔の長尺方向は、前記ピン移動手段による前記位置決めピンの移動方向に対して斜めに傾斜するように配置されていることを特徴とする請求項１又は請求項２記載の遊技機。
【請求項４】
前記位置決めピンは、前記交換ユニット又は前記本体キャビネットのいずれか一方に回動可能に軸支され、
前記位置決め孔の長尺方向は、前記位置決めピンの回転面に対して斜めに傾斜するように配置されていることを特徴とする請求項１乃至３のいずれか１項に記載の遊技機。
【請求項５】
前記位置決めピンの基端側から手で握ることが可能な棒状の取っ手部が延設されていることを特徴とする請求項１乃至４のいずれか１項に記載の遊技機。
【請求項６】
前記本体キャビネットは、前記交換ユニットを前記本体キャビネットに収納した位置から前面側に向かって押し出す押し出し手段を備えたことを特徴とする請求項１乃至５のいずれか１項に記載の遊技機。
【発明の詳細な説明】
【０００１】
【発明の属する技術分野】
この発明は、交換ユニットの位置決めが容易な遊技機に関するものである。
【０００２】
【従来の技術】
従来、パチンコ機や、スロットマシン等の遊技機を設置している遊技ホールでは、顧客のニーズや他店との競合で優位に立つために、遊技機の製造開発メーカーが開発した斬新なゲーム性をもつ、パチンコ機や、スロットマシンに新台入れ替えと称して、数か月に一度、あるいは、それよりも短いサイクルで遊技内容が異なる遊技機に交換するのが通例となっており、最近では、このサイクルが更に短くなる傾向にある。
【０００３】
そして、従来の遊技機においては、かかる新台入れ替えで遊技内容を変更する際には、遊技機全体を略まるごと交換しなければならなかった。しかし、遊技ホールにおいて、遊技内容を変更するための新台入れ替えの台交換の際、遊技内容の変更に無関係な部品も多数、同時に交換されることとなり、交換に要する費用がかかるだけでなく、資源の無駄になっていた。
【０００４】
そこで、近年、遊技内容に直接、影響するリールユニット及びこのリールユニットの回転リールの回転駆動等を制御する主基板（主制御装置）を、前扉に固定して、前扉ごと一体に本体キャビネットから着脱自在に形成して、交換可能とする発明がなされている（例えば、特許文献１、図１及び図３参照。）。
さらに、リールユニット及び主基板（主制御装置）を固定した前扉に、ホッパー装置（メダル払出装置）や電源装置を固定して、前扉ごと一体に本体キャビネットから着脱自在に形成して交換可能にする発明がなされている（例えば、特許文献１、図４参照。）。
【０００５】
さらに、近年では、遊技機を、遊技性に関わる部分と、遊技性に直接関わらない部分とに分け、このうち遊技性に関わる部分を交換することにより、全体を略まるごと交換することなく、新しい遊技機で遊技しているかのような印象を与えることができる分離型の遊技機の開発が進められている。
具体的には、スロットマシンの交換に際して、真に交換が必要な部材である遊技担当装置を特定し、かつ交換の効率化をも図った発明がなされている（例えば、特許文献２。）。
【０００６】
また、枠体等の構造用部材に前記リールユニット及び主基板（主制御装置）を設置した交換ユニットを、本体キャビネット内部に着脱自在に形成して、新旧の交換作業を容易にしたスロットマシンに関する技術がある（例えば、特許文献３。）。
【０００７】
【特許文献１】
特開平１０−５２５２５号公報（第１図、第３図、第４図）
【０００８】
【特許文献２】
特開２００３−２４５１３号公報
【０００９】
【特許文献３】
特開２００３−４７６８６号公報
【００１０】
【発明が解決しようとする課題】
上記した従来の遊技機では、交換ユニットには、回転リールや、この回転リールを回転表示させるための駆動モータ等の駆動手段を有するリールユニットを少なくとも収納しているため、かなりの重量となる。かかる重量のある交換ユニットを一旦、本体キャビネット内部の中板の上に載置した後、その位置を僅かに微調整するのは容易ではなく、位置決めが容易ではないといった第一の問題点があった。
【００１１】
また、交換ユニットを本体キャビネットから引き出す際、交換ユニットを固定した所定位置から、僅かに手前側に移動させることにより、交換ユニットと本体キャビネットとの間に手の指等を入れることができて、交換ユニットを容易に掴むことが可能となる。このように、固定位置の交換ユニットを僅かに手前側に引き出すことにより、交換ユニットのハンドリングが格段に向上し、交換ユニットの交換作業を容易にすることが可能となるものである。しかし、交換ユニットは、上述したように重量が大きいため、固定位置から僅かに移動させることは容易ではないといった第二の問題点があった。
【００１２】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する第一の問題点に鑑みてなされたものであり、その目的とするところは、交換ユニットの位置決めを容易に行うことができるようにした遊技機を提供しようとするものである。
【００１３】
（請求項２）
請求項２記載の発明は、上記した請求項１記載の発明の目的に加え、次の点を目的とする。
すなわち、請求項２記載の発明は、位置決めピンの基端側が位置決め完了端部に入り込むことで位置決めの微調整が行われ、位置決めを完了させることができるようにした遊技機を提供しようとするものである。
【００１４】
（請求項３）
請求項３記載の発明は、上記した請求項１又は請求項２記載の発明の目的に加え、次の点を目的とする。
すなわち、請求項３記載の発明は、上記した従来の技術の有する第二の問題点に鑑みてなされたものであり、その目的とするところは、交換ユニットを本体キャビネット内部の固定位置から外方向に向かって僅かに移動させることができるようにした遊技機を提供しようとするものである。
【００１５】
（請求項４）
請求項４記載の発明は、上記した請求項１乃至３のいずれか１項に記載の発明の目的に加え、次の点を目的とする。
すなわち、請求項４記載の発明は、上記した従来の技術の有する第二の問題点に鑑みてなされたものであり、その目的とするところは、交換ユニットを本体キャビネット内部の固定位置から外方向に向かって僅かに移動させることができるようにした遊技機を提供しようとするものである。
【００１６】
（請求項５）
請求項５記載の発明は、上記した請求項１乃至４のいずれか１項に記載の発明の目的に加え、次の点を目的とする。
すなわち、請求項５記載の発明は、位置決めピンを位置決め孔内部で所定方向に回転移動させることができるようにした遊技機を提供しようとするものである。
【００１７】
（請求項６）
請求項６記載の発明は、上記した請求項１乃至５のいずれか１項に記載の発明の目的に加え、次の点を目的とする。
すなわち、請求項６記載の発明は、交換作業者の力によらなくても、前面側に向かって僅かに引き出すことができ、交換ユニットの交換作業を容易なものにすることができるようにした遊技機を提供しようとするものである。
【００１８】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１９】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００２０】
すなわち、正面側に開口する正面開口部（１１）を有する本体キャビネット（１）と、前記本体キャビネット（１）の正面開口部（１１）を開閉自在に塞ぐ前扉（３）と、複数の図柄が表示された回転リール（２３）及びこの回転リール（２３）を回転表示させるための駆動手段を有するリールユニット（２０）とを備えた遊技機（Ｓ）であって、少なくとも前記リールユニット（２０）は、このリールユニット（２０）を装着するための枠（２１）を介して、前記交換ユニット（２）に組み込まれ、前記交換ユニット（２）は、前記本体キャビネット（１）に対して交換可能に形成され、前記遊技機（Ｓ）は、前記交換ユニット（２）を前記本体キャビネット（１）内部の前後方向に案内する案内手段（８５）と、前記本体キャビネット（１）と前記交換ユニット（２）との間に位置して前記交換ユニット（２）の固定位置の位置決めが可能な位置決め手段（９０）とを備えている。
【００２１】
そして、前記位置決め手段（９０）は、前記本体キャビネット（１）と前記交換ユニット（２）とのうち、いずれか一方に支持される位置決めピン（１００）と、前記本体キャビネット（１）と前記交換ユニット（２）とのうち、前記位置決めピン（１００）を支持していない方に形成されて前記位置決めピン（１００）を差し込み可能な長孔状の位置決め孔（１１０）と、前記位置決めピン（１００）を特定位置まで前記位置決め孔（１１０）内部で所定方向に移動させるためのピン移動手段（９５）とを備えている。
【００２２】
そして、前記位置決め孔（１１０）は、その長尺方向の端部であって、前記特定位置の前記位置決めピン（１００）が入り込むことにより前記交換ユニット（２）の位置決めが完了する位置決め完了端部（１１１）を備え、前記位置決めピン（１００）が、前記ピン移動手段（９５）を介して、前記位置決め孔（１１０）の内部を前記位置決め完了端部（１１１）へ向かって移動することにより、前記位置決めピン（１００）の外面が、前記位置決め孔（１１０）の内面を押して、前記交換ユニット（２）を所定位置へ移動可能なことを特徴とする。
【００２３】
また、ここで、「回転リール（４０）」とあるのは、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。また、ここで、「遊技機（１０）」とは、具体的には、例えば、遊技メダルを投入して、回転リールを回転させ、所定の停止図柄で停止した場合に入賞し、所定枚数の遊技メダルの払い出しが行われるようなスロットマシンであるが、上述した回転リール（４０）を有するパチンコ機や、その他の遊技機を含むものである。
【００２４】
また、ここで、「交換ユニット（２）の固定位置の位置決め」とは、交換ユニット（２）を本体キャビネット（１）内部に取り付ける際、最終的に交換ユニット（２）を固定する位置に移動させて配置することを意味するものである。
また、ここで、「本体キャビネット（１）と前記交換ユニット（２）とのうち、前記位置決めピン（１００）を支持していない方に形成されて」とは、「本体キャビネット（１）」と、「交換ユニット（２）」と、「位置決めピン（１００）」と、「位置決め孔（１１０）」との関係が、図３に示すように位置決めピン（１００）を本体キャビネット（１）に支持した場合は、位置決め孔（１１０）は、交換ユニット（２）に形成されるものであり、また、位置決めピン（１００）を交換ユニット（２）に支持した場合は、位置決め孔（１１０）は本体キャビネット（１）に形成されるものであることを意味する。
【００２５】
また、ここで、「特定位置」とは、位置決めピン（１００）が、かかる特定位置にピン移動手段（９５）を介して移動して、この位置決めピン（１００）が位置決め孔（１１０）の位置決め完了端部（１１１）に入ることにより、交換ユニット（２）の位置決めが完了するように予め設定されているものである。具体的には、図５（Ｃ）に示すように位置決めピン（１００）の円錐部（１０１）が、鉛直方向に回転移動した状態であるピン鉛直位置（１０７）を特定位置としているようなものを含むものである。
【００２６】
（作用）
本発明は、位置決めピン（１００）が、ピン移動手段（９５）を介して、特定位置まで位置決め孔（１１０）の内部を、位置決め完了端部（１１１）へ向かって移動する。そして、その際、位置決めピン（１００）の外面が、位置決め孔（１１０）の内面を押すことにより、交換ユニット（２）は、案内手段（８５）に案内されて、本体キャビネット（１）の奥方向に移動する。そして、位置決めピン（１００）が、前記特定位置で位置決め完了端部（１１１）に入り込むことにより、本体キャビネット（１）内部における交換ユニット（２）の位置決めが完了する。これにより、位置決め孔（１１０）に差し込んだ位置決めピン（１００）を、ピン移動手段（９５）を介して、特定位置まで移動させるだけで、交換ユニット（２）の位置決めを容易に行うことができる。
【００２７】
（請求項２）
請求項２記載の発明は、上記した請求項１記載の発明の特徴点に加え、次の点を特徴とする。
すなわち、前記位置決めピン（１００）は、その基端側から先端側に向かって先細状に形成され、前記位置決めピン（１００）の基端側が、前記位置決め完了端部（１１１）に入り込むことにより、前記交換ユニット（２）の位置決めが完了することを特徴とする。
【００２８】
（作用）
本発明は、位置決めピン（１００）が、その基端側から先端側に向かって先細状に形成されている。このため、位置決めピン（１００）の先端側を、位置決め孔（１１０）の内部に入れる際には、位置決めピン（１００）の外面と位置決め孔（１１０）の内面との間に大きな隙間を形成することができるため、余裕をもって差し込むことができる。そして、位置決めピン（１００）の位置と、位置決め孔（１１０）の位置とが整合しておらず、両者の位置にずれや偏りがある場合、位置決めピン（１００）を、先端側から基端側に向かって差し込むことにより、位置決めピン（１００）の外面と、位置決め孔（１１０）の内面との間の隙間の小さい方が先に当接して押されて、両者の位置関係が整合する方向に交換ユニット（２）が移動する。これにより、位置決めの微調整が行われる。そして、位置決めピン（１００）の基端側が、位置決め孔（１１０）の位置決め完了端部（１１１）に入り込むことにより、位置決め孔（１１０）の位置と位置決めピン（１００）との位置とが整合する。これにより、本体キャビネット（１）内における交換ユニット（２）の位置にずれや偏りが無くなり、交換ユニット（２）の位置決めを完了させることができる。
【００２９】
（請求項３）
請求項３記載の発明は、上記した請求項１又は請求項２記載の発明の特徴点に加え、次の点を特徴とする。
すなわち、前記位置決め孔（１１０）の長尺方向は、前記ピン移動手段（９５）による前記位置決めピン（１００）の移動方向に対して斜めに傾斜するように配置されていることを特徴とする。
【００３０】
（作用）
交換ユニット（２）の配置位置が本体キャビネット（１）における位置決めの完了した位置とずれているような場合、位置決めピン（１００）の特定位置と、位置決め孔（１１０）の位置決め完了端部（１１１）とがずれた状態となる。かかる場合に、位置決めピン（１００）をピン移動手段（９５）により特定位置まで移動させようとすると、位置決め孔（１１０）の長尺方向は、ピン移動手段（９５）による位置決めピン（１００）の移動方向に対して斜めに傾斜するため、位置決めピン（１００）の外面が、位置決め孔（１１０）の斜めに傾斜した内面を斜め方向に押すこととなる。
【００３１】
そして、交換ユニット（２）は、案内手段（８５）により本体キャビネット（１）内部の奥側又は手前側の前後方向に案内されるように形成されている。このため、位置決めピン（１００）が位置決め孔（１１０）の内面を押す力の分力を利用して、案内手段（８５）により、交換ユニット（２）を本体キャビネット（１）内部の奥側又は手前側の前後方向に移動させることができる。
【００３２】
その際、位置決めピン（１００）を一方向に移動させて、交換ユニット（２）を本体キャビネット（１）内部の奥方向に移動させることができるような場合、かかる位置決めピン（１００）の移動方向と逆方向に位置決めピン（１００）を移動させることにより、分力の方向が逆となって、交換ユニット（２）を本体キャビネット（１）内部の固定位置から手前側に向かって移動させることができる。
【００３３】
（請求項４）
請求項４記載の発明は、上記した請求項１乃至３のいずれか１項に記載の発明の特徴点に加え、次の点を特徴とする。
すなわち、前記位置決めピン（１００）は、前記交換ユニット（２）又は前記本体キャビネット（１）のいずれか一方に回動可能に軸支され、前記位置決め孔（１１０）の長尺方向は、前記位置決めピン（１００）の回転面に対して斜めに傾斜するように配置されていることを特徴とする。
【００３４】
（作用）
交換ユニット（２）の配置位置が本体キャビネット（１）における位置決めの完了した位置とずれているような場合、位置決めピン（１００）の特定位置と、位置決め孔（１１０）の位置決め完了端部（１１１）とがずれた状態となる。かかる場合に、交換ユニット（２）又は本体キャビネット（１）のいずれか一方に軸支された位置決めピン（１００）をピン移動手段（９５）により回動させると、位置決め孔（１１０）の長尺方向が位置決めピン（１００）の回転面に対して斜めに傾斜するように配置されているため、位置決め孔（１１０）の内部に入り込んだ位置決めピン（１００）の外面が、位置決め孔（１１０）の斜めに傾斜した内面を斜め方向に押すこととなる。
【００３５】
そして、交換ユニット（２）は、案内手段（８５）により本体キャビネット（１）内部の前後方向に案内されるように形成されている。このため、位置決めピン（１００）が位置決め孔（１１０）の内面を押す力の分力を利用して、案内手段（８５）の案内により、交換ユニット（２）を本体キャビネット（１）内部の奥側又は手前側の前後方向に移動させることができる。
【００３６】
その際、位置決めピン（１００）を一方向に移動させて、交換ユニット（２）を本体キャビネット（１）内部の奥方向に移動させることができるような場合、かかる位置決めピン（１００）の移動方向と逆方向に位置決めピン（１００）を移動させることにより、分力の方向が逆となって、交換ユニット（２）を本体キャビネット（１）内部の固定位置から手前側に向かって移動させることができる。
【００３７】
（請求項５）
請求項５記載の発明は、上記した請求項１乃至４のいずれか１項に記載の発明の特徴点に加え、次の点を特徴とする。
すなわち、前記位置決めピン（１００）の基端側から手で握ることが可能な棒状の取っ手部（１０２）が延設されていることを特徴とする。
【００３８】
（作用）
本発明は、棒状の取っ手部（１０２）を、交換作業者が手で握って回すことにより、位置決めピン（１００）を回転移動させることができる。これにより、位置決めピン（１００）を位置決め孔（１１０）内部で所定方向に回転移動させることができる。
（請求項６）
請求項６記載の発明は、上記した請求項１乃至５のいずれか１項に記載の発明の特徴点に加え、次の点を特徴とする。
【００３９】
すなわち、前記本体キャビネット（１）は、前記交換ユニット（２）を前記本体キャビネット（１）に収納した位置から前面側に向かって押し出す押し出し手段（１３０）を備えたことを特徴とする。
なお、ここで、「押し出し手段（１３０）」は、具体的には、ばねや、ゴム等の弾性体であって、交換ユニット（２）を本体キャビネット（１）の収納位置に配置した状態で、交換ユニット（２）に押されて縮み、それが元に戻る復元力により、交換ユニット（２）を外へ向かって押し出す力を付与することができるようなものを含むものである。
【００４０】
（作用）
本発明は、押し出し手段（１３０）が、交換ユニット（２）を本体キャビネット（１）に収納した位置から前面側に向かって押し出す。このため、交換ユニット（２）を前面側に向かって僅かに移動させることができる。これにより、交換ユニット（２）の交換作業において、交換作業者の力によらなくても、前面側に向かって僅かに引き出すことができ、交換ユニット（２）の交換作業を容易なものにすることができる。
【００４１】
【発明の実施の形態】
（図面の説明）
図１乃至図７は、本発明の実施の形態を示すものである。
図１は位置決め手段の位置決めピンの外観斜視図、図２は位置決め手段の位置決めピンの縦断面図、図３及び図４は遊技機の分解斜視図、図５（Ａ）は位置決めピンが位置決め孔の内部に僅かに入っている状態の縦断面図、（Ｂ）は位置決めピンが位置決め孔の内部で中程度、入っている状態の縦断面図、（Ｃ）は位置決めピンがピン鉛直位置にある状態の縦断面図、図６（Ａ）は位置決めピンを位置決め孔の内部に僅かに入れた状態の横断面図、（Ｂ）は位置決め孔を位置決め孔の内部に中程度、入れた状態の横断面図、（Ｃ）は位置決めピンをピン鉛直位置にまで回転させて位置決めが完了した状態の横断面図、図７（Ｄ）は位置決めピンがピン鉛直位置において固定されている状態の横断面図、（Ｅ）は交換ユニットを前面側に移動させるために位置決めピンを位置決め孔の内部で僅かに回転させた状態の横断面図、（Ｆ）は交換ユニットを前面側に移動させるために位置決めピンを位置決め孔の内部で更に回転させた状態の横断面図をそれぞれ示す。
【００４２】
本実施の形態に係る遊技機Ｓは、具体的には、スロットマシンであって、図３及び図４に示すように、大きく分けて、正面側に開口する正面開口部１１を有する本体キャビネット１、本体キャビネット１内部に着脱自在に設けられる交換ユニット２、本体キャビネット１の正面開口部１１を開閉可能に塞ぐための前扉３とから構成されている。そして、本体キャビネット１の正面開口部１１は、本体キャビネット１の中板１２より上部に開口する開口上部１３と、本体キャビネット１の中板１２より下部に開口する開口下部１４とを備えている。そして、前記前扉３は、本体キャビネット１の開口上部１３を開閉可能に塞ぐための上扉３０と、本体キャビネット１の開口下部１４を開閉可能に塞ぐための下扉４０とを備えている。そして、交換ユニット２の手前側には、上扉３０が取り付けられている。すなわち、通常のいわゆる新台入れ替えの際には、上扉３０を取り外した状態で、交換ユニット２だけを交換することができるものである。
【００４３】
そして、本実施の形態に係る遊技機Ｓは、本体キャビネット１と交換ユニット２との間に位置して交換ユニット２の固定位置の位置決めが可能な位置決め手段９０を備えている。
なお、本実施の形態において、「手前側」とは、交換作業者が、遊技機Ｓの正面側に遊技機Ｓの方を向いて位置しているような場合のかかる交換作業者の手前側を意味する。したがって、手前側方向とは、遊技機Ｓの奥から正面へ向かう方向を意味する。また、本実施の形態において、「奥側」とは、交換作業者が、遊技機Ｓの正面側に遊技機Ｓの方を向いて位置しているような場合のかかる交換作業者から見たときの奥側を意味する。したがって、奥側方向とは、遊技機Ｓの正面から奥へ向かう方向を意味する。さらに、本実施の形態において、右側とは、遊技機Ｓの正面に向かって対峙する交換作業者から見て、右側方向を意味し、また、左側とは、遊技機Ｓの正面に向かって対峙する交換作業者から見て、左側方向を意味するものである。
【００４４】
（本体キャビネット１）
上記本体キャビネット１は、全体形状が略箱状であって、図３に示すように、底板１５、側板１６、天板１７及び裏板１８からなる正面側に開口する筺体である。そして、この本体キャビネット１の高さ方向略中央部には、二つの側板１６の間に水平方向に中板１２が渡してある。そして、この中板１２は、交換ユニット２を本体キャビネット１の奥側内部に案内するための案内手段８５としてのガイド８０を左右側部に備えている。また、中板１２は、金属板からなるものである。そして、底板１５には、電源装置４と、ホッパーユニットとも呼ばれる払い出し装置５とが固定されている。
【００４５】
前記中板１２の手前側の端部には、表裏に開口する長孔状の中板側孔１２０が形成されている。この中板側孔１２０の長尺方向は、左右方向となるように形成されている。そして、この中板側孔１２０の奥側の端面には、下方側に向かって延びる四角板状のピン固定片１２１が形成されている。そして、このピン固定片１２１にボルト状の固定軸１０３を介して位置決めピン１００及び取っ手部１０２が回動可能に軸支されている。
【００４６】
ここで、電源装置４は、開口下部１４の底板１５の上面に取り付けられており、遊技店側が種々の設定を行うためのスイッチ等の操作部を有している。この電源装置４は、遊技機Ｓ内部の各部品に電力を供給するためのものである。
上記電源装置４及び払い出し装置５は、交換ユニット２の交換に際し、必ずしも交換する必要のないものであり、交換時には設置されたままにしておけるようになっているものである。
【００４７】
また、側板１６の正面左側の下部には、前記下扉４０を係合させ、回転自在に支持するための本体係合部６２が、上下方向に間隔をおいて二つ設けられている。
さらに、本体係合部６２の対向側の側板１６には、下扉４０を閉めた際、下扉４０をロックするための突出片６９（図４）が、上下方向に間隔をおいて二つ設けられている。
【００４８】
また、本体キャビネット１は、交換ユニット２を本体キャビネット１に収納した位置から前面側（手前側）に向かって押し出す押し出し手段１３０を備えている。この押し出し手段１３０は、具体的には、円形コイル状のバネであって、左右のガイド８０の奥側の裏板１８に固定されている。交換ユニット２が奥側に押し込まれることにより、交換ユニット２の奥側が、押し出し手段１３０としての円形コイル状のバネを縮ませる。その状態で交換ユニット２に対して、手前側に向かって押し出す方向の力を絶えず付加した状態を維持することができるものである。したがって、位置決め手段９０により、交換ユニット２の固定が解除されると、かかる押し出し手段１３０の弾性復元力により、交換ユニット２を手前側に僅かに移動させることができるものである。
【００４９】
また、本体キャビネット１の左右の側板１６の内面には、交換ユニット２のフック３４を引っかけて交換ユニット２を固定可能な固定装置１０としてのクリップ３５が形成されている。
（案内手段８５）
上記案内手段８５は、交換ユニット２を本体キャビネット１の奥側内部に案内するための帯板レール状のガイド８０である。このガイド８０は、図３に示すように中板１２の左右に位置して、前後方向に形成された２本の帯板レール状のものであって、交換ユニット２の奥側の下部に配置された移動体としてのローラー（図示せず）が回転移動可能なものである。
【００５０】
（交換ユニット２）
上記交換ユニット２は、遊技ホールにおける、いわゆる新台入れ替えの際、遊技内容を変更するために本体キャビネット１に対して交換可能に形成されているものである。
なお、本実施の形態では、交換作業の際、上扉３０は交換ユニット２から取り外して、上扉３０はそのまま交換せずに、新しい交換ユニット２を取り付けた後、再度、取り外した上扉３０を交換ユニット２に取り付けている。すなわち、上扉３０は、交換せずに使用しているものである。もちろん、上扉３０を取り外して、再度、交換ユニット２に取り付ける際に新たな上扉３０を取り付けることにより、上扉３０も交換することができるものである。さらに、交換ユニット２と、この交換ユニット２の手前側に開閉可能に取り付けられた上扉３０とから一体的な取り扱いが可能な扉一体型交換ユニットを形成することもできるものである。かかる扉一体側交換ユニットにおいては、交換ユニット２及び上扉３０は、両者が一体となった状態で、本体キャビネット１から取り外し、また、取り付けることができるように形成しても良いものである。
【００５１】
上記交換ユニット２は、リールユニット２０及び基板ユニット２４を装着するための四角枠状の部材を組み合わせた枠２１と、この枠２１の上部に位置してリールユニット２０の上方を覆う上板７０とを備えている。すなわち、リールユニット２０及び主制御装置２５は、これらを装着するための枠２１を介して、交換ユニット２に組み込まれているものである。
【００５２】
前記交換ユニット２は、前記枠２１の下部に固定されたリールユニット２２と、枠２１の上部奥側に固定された基板ユニット２４とを備えている。
ここで、リールユニット２２は、周囲に複数の図柄を表示した３個の回転リール２３と、特に図示しないが、それぞれの回転リール２３を回転させるための駆動モータを有している。また、前記基板ユニット２４は、回転リール２３の回転等を制御するための主制御装置２５が透明樹脂からなる四角箱状の基板ケース２６の内部に収納されているものである。
【００５３】
前記枠２１の正面左側の縦枠には、前記上扉３０を回転自在に係合するための枠体係合部６０が、上下方向に間隔をおいて二つ設けられている。
さらに、枠２１の正面右側の縦枠には、上扉３０を閉めた際、上扉３０をロックするための突出片６９が、上下方向に間隔をおいて二つ設けられている。
このように、枠２１の枠体係合部６０と、枠２１の右側の突出片６９（図４）とにより、上扉３０が枠２１に回動可能に固定され、両者を一体のものにすることができる。
【００５４】
前記交換ユニット２は、その底側を覆う平板状のユニット底板７１を備えている。このユニット底板７１の手前側の略中央には、表裏に貫通する長孔状の位置決め孔１１０が形成されている。この位置決め孔１１０の長尺方向は、図３、図６及び図７に示すように、左右方向に対して僅かに斜めに傾斜するように設定されている。具体的には、位置決めピン１００の長尺方向は、左右方向に対して略３０度の傾斜角度を形成している。
【００５５】
なお、交換ユニット２の枠２１の左右の縦枠には、本体キャビネット１のクリップ３５により固定可能なフック３４が形成されている。
（上板７０）
上記上板７０は、枠２１の上部に設けられて、リールユニット２０の上方を覆っているものである。具体的には、上板７０は、枠２１の高さ方向途中の横方向に渡されるように枠２１に固定されているものである。この上板７０は、リールユニット２０の上方を覆うような位置に固定されているものである。この上板７０は、その側端及び後ろ側の端部において、複数個のねじ及びボルトからなる締結部材により、枠２１にしっかりと固定されているものである。なお、この上板７０は、金属性の板状の板状部材からなるものである。
【００５６】
（上扉３０）
上記上扉３０は、交換ユニット２の枠２１に回転自在かつロック可能に形成されている板状の扉である。そして、上扉３０は、略中央部に前記回転リール２３の図柄を正面側から見ることができる図柄表示窓３１を有し、周囲に飾り部３３が設けられ、種々の表示を行うための表示装置３２が設けられているものである。
【００５７】
ここで、前記飾り部３３は、他のランプ等により形成しても良く、入賞の報知その他の演出時にランプが点滅するように形成してもよい。また、前記表示装置３２は、７セグメントＬＥＤ等により数字を表示するものや、特に図示しないが、画像を表示するための液晶表示装置やＣＲＴなどとしてもよいものである。
さらに、図４に示すように、上扉３０の正面から向かって左側の裏面には、前記枠体係合部６０の延長枠体係合部６４に係合可能な上扉係合部６１が上下方向に間隔をおいて二つ設けられている。そして、上扉３０の正面から向かって右側の裏面には、延長突出片６５にロック可能な扉ロック機構７が設けられている。延長枠体係合部６４に上扉係合部６１が回動可能に係合することにより、上扉３０は、延長枠体係合部６４に軸支されるものである。そして、上扉３０を閉じると、延長突出片６５に扉ロック機構７がロックされることにより、上扉３０を閉じた状態に維持することができるものである。
【００５８】
また、上扉３０の裏面上部の左右には、種々の音声を出力するためのスピーカ４９が設けられている。
（下扉４０）
上記下扉４０は、本体キャビネット１の開口下部１４を塞ぐための、上扉３０よりも幅厚の扉であり、本体キャビネット１の側板１６に回転自在かつロック可能に形成されているものである。
【００５９】
前記下扉４０の上部は、遊技機Ｓを作動させるための操作部４１となっており、下扉４０の上面は、閉扉時においては、上扉３０よりも前側に突出するようになっている。また、下部には払い出されたメダルを溜めておくための箱状のメダル受け４３が形成されており、下扉４０の略中央部には、遊技内容その他の案内表示をするための前パネル５０が嵌め込まれている。
【００６０】
前記操作部４１としては、下扉４０の上面右端にはメダル投入口４２と、上面左側に設けられたベットスイッチと、正面側にはレバー式のスタートスイッチと、ボタン式のストップスイッチと、鍵穴４４とが設けられている。なお、ベットスイッチとは、貯留メダルをメダル投入に代えるためのものであり、スタートスイッチ及びストップスイッチは、回転リール２３の回転を開始及び停止させるためのものである。また、鍵穴４４は、前扉３を解錠するためのものであり、この穴に所定の鍵を差し込んで回すと、下扉４０の扉ロック機構７のロックが解除されるものである。
【００６１】
さらに、図４に示すように、下扉４０の裏面側には、前記メダル投入口４２から投入された遊技メダルを誘導しながら遊技メダルの正偽を判断するためのメダルセレクター４８が設けられている。
また、下扉４０の正面から向かって左側の裏面には、開口下部１４の本体係合部６２と係合可能な下扉係合部６３が上下方向に間隔をおいて二つ設けられている。そして、下扉４０の正面から向かって右側の裏面には、本体キャビネット１の開口下部１４の突出片６９にロック可能なアンカー状のものを有する扉ロック機構７が設けられている。
【００６２】
（位置決め手段９０）
上記位置決め手段９０は、本体キャビネット１に支持される位置決めピン１００と、交換ユニット２に形成されて位置決めピン１００を差し込み可能な長孔状の位置決め孔１１０と、位置決めピン１００を特定位置（具体的には、ピン鉛直位置１０７）まで位置決め孔１１０内部で所定方向に移動させるためのピン移動手段９５とを備えている。
【００６３】
前記位置決めピン１００は、本体キャビネット１の中板１２の中板側孔１２０の縁端から下方に延びる四角板状のピン固定片１２１にボルト状の固定軸１０３を介して回動可能に支持されている。位置決めピン１００は、その基端側から先端側に向かって先細状に形成されている。具体的には、位置決めピン１００は、その全体形状が略円錐状の円錐部１０１から形成されている。そして、位置決めピン１００である円錐部１０１の基端側から手で握ることが可能な角柱棒状の取っ手部１０２が延設されている。この取っ手部１０２の長尺方向は、円錐部１０１の円錐の中心軸に対して直角方向となるように形成されている。これにより、位置決めピン１００をピン鉛直位置１０７にしてロック状態のとき、取っ手部１０２を横方向に延びて下方に向かって突出させずに、邪魔にならないようにすることができる。また、位置決めピン１００を位置決め孔１１０から抜いてロック状態を解除したとき、取っ手部１０２を鉛直方向に突出させることができる。これにより、交換作業者は、取っ手部１０２を容易に掴むことができる。
【００６４】
前記取っ手部１０２の円錐部１０１を設けた側の端部には、表裏に貫通する軸孔１０６が形成されている。そして、この軸孔１０６に上述したボルト状の固定軸１０３が通され、この固定軸１０３の先端側を、バネ座金１０５及び固定ナット１０４により締め付けている。このバネ座金１０５の存在により、固定軸１０３の頭部と、ピン固定片１２１との間に、所定の力で取っ手部１０２を回動可能な状態で挟むことができるものである。すなわち、取っ手部１０２を手で掴んで回転させることにより、位置決めピン１００を回動させることができ、その状態で手を取っ手部１０２から外しても、その位置で停止した状態を維持することができるように設定されている。
【００６５】
前記位置決め孔１１０の長尺方向は、ピン移動手段９５による位置決めピン１００の移動方向に対して斜めに傾斜するように配置されている。具体的には、位置決め孔１１０の長尺方向は、位置決めピン１００の回転面に対して斜めに傾斜するように配置されているものである。すなわち、図６に示すように、位置決めピン１００の回転面は、本体キャビネット１の中板１２の左右方向と平行に形成されているのに対して、位置決め孔１１０の長尺方向は、向かって右側が奥側に寄っているような斜めに傾斜した状態に形成されている。具体的には、傾斜角度は、中板１２の左右方向に対して略３０度程度の交差角度となるように設定されている。もちろん、この傾斜角度は、これに限定されるものではなく、他の交差角度でも良いものである。
【００６６】
前記位置決め孔１１０は、その長尺方向の端部であって、特定位置の位置決めピン１００が入り込むことにより交換ユニット２の位置決めが完了する位置決め完了端部１１１を備えている。この位置決め完了端部１１１は、長尺方向が傾斜した位置決め孔１１０の手前側の端部である。この位置決め孔１１０は、リールユニット２０のユニット底板７１の手前側の中央の端部に表裏に開口するように形成されているものである。
【００６７】
前記ピン移動手段９５は、取っ手部１０２の軸孔１０６に差し込まれた固定軸１０３からなるものである。取っ手部１０２を交換作業者が手で掴んで固定軸１０３の回りに回動させることにより、固定軸１０３を回転の中心として、位置決めピン１００を回動させることができる。
（作用及び効果）
位置決めピン１００が、ピン移動手段９５を介して、位置決め孔１１０の内部を位置決め完了端部１１１へ向かって移動することにより、位置決めピン１００の外面が、位置決め孔１１０の内面を押して、交換ユニット２を所定位置へ移動する。
【００６８】
具体的には、図５（Ａ）及び図６（Ａ）に示すように、位置決めピン１００の円錐部１０１の先端が、位置決め孔１１０の内部に入るような位置に交換ユニット２を本体キャビネット１の中板１２の上に適当に配置する。そして、取っ手部１０２を手で握って図５に向かって左回転方向に固定軸１０３を回転の中心軸として回転させる。これにより、円錐部１０１の外側表面が、位置決め孔１１０の斜めに傾斜した内面に当接する。
【００６９】
そして、図５（Ｂ）及び図６（Ｂ）に示すように、さらに、取っ手部１０２を図５の向かって左回転方向に回転させると、円錐部１０１も向かって左回転して、円錐部１０１の外側表面が位置決め孔１１０の内面を横方向（図６の向かって左方向）に押す。交換ユニット２は、案内手段８５により、前後方向に自由に移動することができるが、左右方向には、本体キャビネット１により左右方向への移動が制限されている。このため、図６（Ａ）から（Ｂ）に示すように、円錐部１０１の向かって左方向への移動にともない、円錐部１０１の外側表面が、位置決め孔１１０の内面を滑りながら移動する。それに伴って、円錐部１０１の左方向へ押す力の分力が、位置決め孔１１０を本体キャビネット１の奥方向に押し込むことができる。また、円錐部１０１は、基端側から先端側に向かって先細状、別の言い方をすると、先端側から基端側に向かって径が拡大するように形成されているため、位置決め孔１１０の内面に当接する円錐部１０１の外面が、その基端側に移行する程、円錐部１０１の径が大きなところで当接することとなり、位置決め孔１１０の内面を本体キャビネット１の奥側に向かって押し込むことができる。なお、その際、押し出し手段１３０としてのバネは、交換ユニット２の奥側により圧縮される。
【００７０】
さらに、取っ手部１０２を図５の向かって左回転方向に回転させると、図５（Ｃ）及び図６（Ｃ）に示すように、位置決めピン１００の円錐部１０１が位置決め孔１１０の位置決め完了端部１１１に入り込むことにより、交換ユニット２の位置決めが完了する。これにより、いわゆる新台入れ替えの際、交換ユニット２の取り付け作業の際、新たな交換ユニット２の位置決めを完了することができるものである。
【００７１】
一方、いわゆる新台入れ替えの際、交換ユニット２を取り外す場合、位置決めピン１００の移動方向は、上述した場合と逆方向となり、力の方向が逆となる。これにより、位置決め手段９０は、交換ユニット２を本体キャビネット１内部の固定位置から外方向に向かって僅かに移動させることができる。
具体的には、交換ユニット２を取り外す前の状態は、図７（Ｄ）及び図５（Ｃ）に示すように、位置決めピン１００の円錐部１０１が、ピン鉛直位置１０７にあって、交換ユニット２が所定位置に固定されている状態となる。
【００７２】
そして、図７（Ｅ）及び図５（Ｂ）に示すように、交換作業者が、取っ手部１０２を手で握って、図５（Ｂ）の向かって右回転方向、すなわち位置決めピン１００の円錐部１０１を押し下げる方向に、回転させる。すると、円錐部１０１が回転して、円錐部１０１の外側表面が位置決め孔１１０の内面を横方向（図７の向かって右方向）に押す。交換ユニット２は、案内手段８５により、前後方向に自由に移動することができるが、左右方向には、本体キャビネット１により左右方向への移動が制限されている。このため、図７（Ｄ）から（Ｅ）に示すように、円錐部１０１の向かって右方向への移動にともない、円錐部１０１の外側表面が、位置決め孔１１０の内面を滑りながら移動し、位置決め孔１１０を本体キャビネット１の手前側（正面側）方向に僅かに引っ張り出すことができる。なお、その際、押し出し手段１３０としてのバネの元に戻ろうとする弾性復元力により、交換ユニット２は、常時、手前側に向かって力が加わっている。このため、手で交換ユニット２を手前側に引っ張らなくても、或いは、手で交換ユニット２を僅かな力で引っ張るだけで、押し出し手段１３０としてのバネの力により、交換ユニット２を手前側に僅かに移動させることができる。
【００７３】
そして、更に、図７（Ｆ）及び図５（Ａ）に示すように、交換作業者が、取っ手部１０２を手で回転させると、上述したものと同様に、位置決めピン１００の円錐部１０１の外面が位置決めピン１００の内面を押して、交換ユニット２を手前側に移動させることができる。このように、位置決め手段９０の位置決めピン１００を回転させるだけで、交換ユニット２を手前側に僅かに移動させることができ、その後の交換ユニット２の取り外し作業を容易なものにすることができる。すなわち、交換ユニット２が僅かに手前側に引き出されたことにより、交換ユニット２の枠２１と、本体キャビネット１との間に僅かな隙間が発生して、それらの間に交換作業者の手の指を入れることができる。これにより、交換ユニット２の枠２１をしっかりと最初から握ることが可能となり、途中で、手を持ち替える必要がなく、交換作業を容易なものにすることができる。
【００７４】
上述した実施の形態において、位置決めピン１００を本体キャビネット１の中板１２に回動可能に形成し、位置決め孔１１０を交換ユニット２のユニット底板７１に設けていたが、特にこれに限定されるものではない。例えば、位置決めピン１００を交換ユニット２のユニット底板７１に回動可能に形成し、位置決め孔１１０を本体キャビネット１の中板１２に設けても良いものである。かかる場合でも、位置決め孔１１０を本実施の形態と同様に長尺方向に斜め方向に形成することにより、本実施の形態と同様の作用及び効果を奏するものである。さらに、かかる場合、位置決めピン１００及び取っ手部１０２が、交換ユニット２側に固定されているため、交換ユニット２を前後方向に移動する際、かかる取っ手部１０２を交換作業者が手で掴んで、前後方向に移動することができる。その際、位置決めピン１００をピン鉛直位置１０７にしてロック状態のとき、取っ手部１０２は、横方向に延びて突出していないが、位置決めピン１００のロック状態を解除したときは、取っ手部１０２は、鉛直方向に突出する。これにより、交換作業者は、取っ手部１０２を容易に掴むことができる。このように、交換ユニット２を手前側に移動する際、取っ手部１０２を手で掴んで手前側に引っ張ることができ、また、交換ユニット２を奥側に移動する際、取っ手部１０２を手で掴んで奥側に押し込むことができる。
【００７５】
【発明の効果】
本発明は、以上のように構成されているので、以下に記載されるような効果を奏する。
（請求項１）
請求項１記載の発明によれば、次のような効果を奏する。
【００７６】
すなわち、請求項１記載の発明によれば、交換ユニットの位置決めを容易に行うことができるようにした遊技機を提供することができる。
（請求項２）
請求項２記載の発明によれば、上記した請求項１記載の発明の効果に加え、次のような効果を奏する。
【００７７】
すなわち、請求項２記載の発明によれば、位置決めピンの基端側が位置決め完了端部に入り込むことで位置決めの微調整が行われ、位置決めを完了させることができるようにした遊技機を提供することができる。
（請求項３）
請求項３記載の発明によれば、上記した請求項１又は請求項２記載の発明の効果に加え、次のような効果を奏する。
【００７８】
すなわち、請求項３記載の発明によれば、交換ユニットを本体キャビネット内部の固定位置から外方向に向かって僅かに移動させることができるようにした遊技機を提供することができる。
（請求項４）
請求項４記載の発明によれば、上記した請求項１乃至３のいずれか１項に記載の発明の効果に加え、次のような効果を奏する。
【００７９】
すなわち、請求項４記載の発明によれば、交換ユニットを本体キャビネット内部の固定位置から外方向に向かって僅かに移動させることができるようにした遊技機を提供することができる。
（請求項５）
請求項５記載の発明によれば、上記した請求項１乃至４のいずれか１項に記載の発明の効果に加え、次のような効果を奏する。
【００８０】
すなわち、請求項５記載の発明によれば、位置決めピンを位置決め孔内部で所定方向に回転移動させることができるようにした遊技機を提供することができる。
（請求項６）
請求項６記載の発明によれば、上記した請求項１乃至５のいずれか１項に記載の発明の効果に加え、次のような効果を奏する。
【００８１】
すなわち、請求項６記載の発明によれば、交換作業者の力によらなくても、前面側に向かって僅かに引き出すことができ、交換ユニットの交換作業を容易なものにすることができるようにした遊技機を提供することができる。
【図面の簡単な説明】
【図１】本発明の実施の形態であって、位置決め手段の位置決めピンを示す外観斜視図である。
【図２】本発明の実施の形態であって、位置決め手段の位置決めピンを示す縦断面図である。
【図３】本発明の実施の形態であって、遊技機を示す分解斜視図である。
【図４】本発明の実施の形態であって、遊技機を示す分解斜視図である。
【図５】本発明の実施の形態であって、（Ａ）は位置決めピンが位置決め孔の内部に僅かに入っている状態を示す縦断面図、（Ｂ）は位置決めピンが位置決め孔の内部で中程度に入っている状態を示す縦断面図、（Ｃ）は位置決めピンがピン鉛直位置にある状態を示す縦断面図をそれぞれ示す。
【図６】本発明の形態であって、（Ａ）は位置決めピンを位置決め孔の内部に僅かに入れた状態を示す横断面図、（Ｂ）は位置決め孔を位置決め孔の内部に中程度、入れた状態を示す横断面図、（Ｃ）は位置決めピンをピン鉛直位置にまで回転させて位置決めが完了した状態を示す横断面図である。
【図７】本発明の実施の形態であって、（Ｄ）は位置決めピンがピン鉛直位置において固定されている状態を示す横断面図、（Ｅ）は交換ユニットを前面側に移動させるために位置決めピンを位置決め孔の内部で僅かに回転させた状態を示す横断面図、（Ｆ）は交換ユニットを前面側に移動させるために位置決めピンを位置決め孔の内部で更に回転させた状態を示す横断面図である。
【符号の説明】
Ｓ    遊技機                          １    本体キャビネット
２    交換ユニット                    ３    扉
４    電源装置                        ５    払い出し装置
７    扉ロック機構                    １０  固定装置
１１  正面開口部                      １２  中板
１３  開口上部                        １４  開口下部
１５  底板                            １６  側板
１７  天板                            １８  裏板
２０  リールユニット                  ２１  枠
２３  回転リール                      ２４  基板ユニット
２５  主制御装置                      ２６  基板ケース
３０  上扉                            ３１  表示窓
３２  表示装置                        ３３  飾り部
３４  フック                          ３５  クリップ
４０  下扉                            ４１  操作部
４２  メダル投入口                    ４３  メダル受け
４４  鍵穴                            ４８  メダルセレクター
４９  スピーカー                      ５０  前パネル
６０  枠体係合部                      ６１  上扉係合部
６２  本体係合部                      ６３  下扉係合部
６９  突出片                          ７０  上板
７１  ユニット底板                    ８０  ガイド
８５  案内手段                        ９０  位置決め手段
９５  ピン移動手段                    １００    位置決めピン
１０１    円錐部                        １０２    取っ手部
１０３    固定軸                        １０４    固定ナット
１０５    バネ座金                      １０６    軸孔
１０７    ピン鉛直位置                  １１０    位置決め孔
１１１    位置決め完了端部              １２０    中板側孔
１２１    ピン固定片                    １３０    押し出し手段
【図１】
2004275470.tif 000003
【図２】
2004275470.tif 000004
【図３】
2004275470.tif 000005
【図４】
2004275470.tif 000006
【図５】
2004275470.tif 000007
【図６】
2004275470.tif 000008
【図７】
2004275470.tif 000009